(57)【要約】【課題】ユーザ領域で用いるトラッキング用位相比較器では、ＰＬＬの引込み範囲が狭く、所定長のＲＵＮ−ＩＮ領域だけでは、ＰＬＬの引込みが完了できない課題があった。【解決手段】ゼロクロス検出手段と、ゼロクロス検出手段の通過タイミングに合わせて動作を開始しカウント値を出力する周期カウンタと、前記ゼロクロス検出手段から出力された通過方向情報と前記カウント値から、再生信号がゼロクロスするタイミングを予測し、初期位相誤差を出力するアクイジション用位相誤差検出器を備える。ゼロクロス検出手段は、プリアンブル領域に含まれる特定パターンの立上り又は立下りエッジのゼロクロス点を検出し、検出されたゼロクロス点から所定周期の周期カウンタを動作させ、プリアンブル領域の特定パターンから予測されるゼロクロス点を予測し、アクイジション用位相誤差を出力する。【選択図】図７
2007109349.tif 000002
【特許請求の範囲】
【請求項１】
記録媒体の管理を所定の記録単位で行い、各記録単位の先頭領域には特定パターンが繰返し記録された前記記録媒体を再生するディジタル情報記録再生装置であって、
前記記録媒体からの再生信号を再生クロックのタイミングで量子化データに変換するＡ／Ｄ変換手段と、
前記Ａ／Ｄ変換手段から出力された量子化データに含まれる直流成分を除去する低域抑圧回路と、
前記低域抑圧回路の出力信号がゼロレベルを通過するタイミングと方向を検出し、ゼロクロスタイミングフラグと通過方向情報を出力するゼロクロス検出手段と、
前記ゼロクロス検出手段の通過タイミングに合わせて動作を開始し所定の周期でカウントしカウント値を出力する周期カウンタと、
前記ゼロクロス検出手段から出力された通過方向情報と前記周期カウンタのカウント値から、前記低域抑圧回路の出力信号がゼロクロスするタイミングを予測し、初期位相誤差を出力するアクイジション用位相誤差検出器と、
前記低域抑圧回路の出力信号から位相誤差を出力するトラッキング用位相誤差検出器と、
前記記録単位の先頭領域では前記アクイジション用位相誤差検出器から出力された初期位相誤差信号と前記記録単位の先頭領域以外の領域では前記トラッキング用位相誤差検出器から出力された位相誤差信号とを切り替えて位相誤差を出力するセレクタ手段と、
前記セレクタ手段の位相誤差を用いて前記再生クロックを生成する再生クロック抽出手段を備え、
前記ゼロクロス検出手段は、前記低域抑圧回路の出力信号とゼロレベルとの比較を行い、比較結果から前記特定パターンに含まれる最大のランレングスの組合せからなる所定パターンを検出しゼロクロスタイミングフラグを出力し、前記周期カウンタは前記特定パターンの周期でカウンタ値を出力し、アクイジション用位相誤差検出器は予測されたゼロクロス点から初期位相誤差を出力することを特徴とするディジタル情報記録再生装置。
【請求項２】
前記タイミング信号抽出手段は、前記初期位相誤差信号と前記位相誤差信号を平滑化する低域抑圧回路と、前記低域抑圧回路の出力をアナログ信号に変換するＤ／Ａコンバータと、前記アナログ信号から所定の周波数のクロックを生成する発振器で構成されたことを特徴とする請求項１記載のディジタル情報記録再生装置。
【請求項３】
前記ゼロクロス検出手段は、前記低域抑圧回路の出力信号とゼロレベルとの比較を行い、比較結果から前記特定パターンに含まれる５Ｔマークと５Ｔスペース（Ｔはチャネルクロック周期）の組合せからなる所定パターンを検出し、ゼロクロスタイミングフラグを出力することを特徴とする請求項１記載のディジタル情報記録再生装置。
【請求項４】
前記アクイジション用位相誤差検出器は再生する記録媒体によって前記周期カウンタの周期と、前記周期カウンタのカウント値から予測される前記量子化データがゼロクロスするタイミングを切り替えること特徴とする請求項１記載のディジタル情報記録再生装置。
【請求項５】
前記アクイジション用位相誤差検出器は、前記低域抑圧回路の出力信号とゼロクロスレベルとの比較を行い、比較結果から前記特定パターンに含まれる最大のランレングスの組合せからなる所定パターンを連続するｍ個の’０’と連続ｎ個’１’（ｍ、ｎは２以上の整数）であらわすとき、前記ゼロクロス検出手段は、連続ｍ±１個の’０’と連続ｎ個’１’の組合せあるいは連続ｍ個の’０’と連続ｎ±１個’１’の組合せであってもゼロクロスタイミングフラグを出力することを特徴とする請求項１記載のディジタル情報記録再生装置。
【請求項６】
記録媒体からの再生信号を再生クロックのタイミングで量子化データに変換するＡ／Ｄ変換手段と、
前記Ａ／Ｄ変換手段から出力された量子化データに含まれる直流成分を除去する低域抑圧回路と、
前記低域抑圧回路の出力信号がゼロレベルを通過するタイミングと方向を検出し、ゼロクロスタイミングフラグと通過方向情報を出力するゼロクロス検出手段と、
前記ゼロクロス検出手段の通過タイミングに合わせて動作を開始し所定の周期でカウントしカウント値を出力する周期カウンタと、
前記ゼロクロス検出手段から出力された通過方向情報と前記周期カウンタのカウント値から、前記低域抑圧回路の出力信号がゼロクロスするタイミングを予測し、初期位相誤差を出力するアクイジション用位相誤差検出器と、
前記低域抑圧回路の出力信号から位相誤差を出力するトラッキング用位相誤差検出器と、
前記記録単位の先頭領域では前記アクイジション用位相誤差検出器から出力された初期位相誤差信号と前記記録単位の先頭領域以外の領域では前記トラッキング用位相誤差検出器から出力された位相誤差信号とを切り替えて位相誤差を出力するセレクタ手段と、
前記セレクタ手段の位相誤差を用いて前記再生クロックを生成する再生クロック抽出手段を備え、
前記ゼロクロス検出手段は、前記低域抑圧回路の出力信号とゼロレベルとの比較を行い、比較結果から前記特定パターンに含まれる最大のランレングスの組合せからなる所定パターンを検出しゼロクロスタイミングフラグを出力し、前記周期カウンタは前記特定パターンの周期でカウンタ値を出力し、アクイジション用位相誤差検出器は予測されたゼロクロス点から初期位相誤差を出力することを特徴とするディジタルＰＬＬ回路。
【請求項７】
前記タイミング信号抽出手段は、前記初期位相誤差信号と前記位相誤差信号を平滑化する低域抑圧回路と、前記低域抑圧回路の出力をアナログ信号に変換するＤ／Ａコンバータと、前記アナログ信号から所定の周波数のクロックを生成する発振器で構成されたことを特徴とする請求項６記載のディジタルＰＬＬ回路。
【請求項８】
前記ゼロクロス検出手段は、前記低域抑圧回路の出力信号とゼロレベルとの比較を行い、比較結果から前記特定パターンに含まれる５Ｔマークと５Ｔスペース（Ｔはチャネルクロック周期）の組合せからなる所定パターンを検出し、ゼロクロスタイミングフラグを出力することを特徴とする請求項６記載のディジタルＰＬＬ回路。
【請求項９】
前記アクイジション用位相誤差検出器は再生する記録媒体によって前記周期カウンタの周期と、前記周期カウンタのカウント値から予測される前記量子化データがゼロクロスするタイミングを切り替えること特徴とする請求項６記載のディジタルＰＬＬ回路。
【請求項１０】
前記アクイジション用位相誤差検出器は、前記低域抑圧回路の出力信号とゼロクロスレベルとの比較を行い、比較結果から前記特定パターンに含まれる最大のランレングスの組合せからなる所定パターンを連続するｍ個の’０’と連続ｎ個’１’（ｍ、ｎは２以上の整数）であらわすとき、前記ゼロクロス検出手段は、連続ｍ±１個の’０’と連続ｎ個’１’の組合せあるいは連続ｍ個の’０’と連続ｎ±１個’１’の組合せであってもゼロクロスタイミングフラグを出力することを特徴とする請求項６記載のディジタルＰＬＬ回路。
【発明の詳細な説明】
【技術分野】
【０００１】
本発明は、記録媒体から再生されたアナログ信号から原ディジタル情報を再生するディジタル情報再生装置およびディジタルＰＬＬ回路に関するものである。
【背景技術】
【０００２】
光ディスク、磁気ディスクの媒体上に原ディジタル情報を記録する際に、多くの場合、ランレングス制限符号（以降ＲＬＬ符号とする）が用いられている。ＲＬＬ符号をもちいることにより、再生信号に所定の頻度で位相誤差情報が含まれているのでこれを検出し、再生クロックを生成することが可能である。いわゆるセルフクロック再生と呼ばれている。このセルフクロック再生を行うには、通常ＰＬＬ（位相同期ループ）回路が用いられる。また近年、媒体に記録された原ディジタル情報を再生する方式としてパーシャルレスポンス等化とビタビ復号を組み合わせたＰＲＭＬ信号処理が用いられている。パーシャルレスポンス等化は既知の符号間干渉を再生信号に与えることで従来のナイキスト等化に比べてＳ／Ｎを改善することができる。ビタビ復号は符号の前後に相関がある場合に有効であり、パーシャルレスポンス等化との組み合わせが有効である。上述のセルフクロック再生とＰＲＭＬ信号処理を組み合わせたリードチャネルが開発されている。
【０００３】
このようなリードチャネルは図１に示すようにローパスフィルタとイコライズ機能を有する波形等化回路１、Ａ／Ｄコンバータ２、ＦＩＲフィルタ３、ビタビ復号器４、量子化された再生信号から位相誤差を検出する位相比較器５、位相誤差を低域通過処理するＬＰＦＬＦ６、Ｄ／Ａコンバータ（ＤＡＣ）７および電圧制御型発振器（ＶＣＯ）８で構成されている。図１の従来例では、Ａ／Ｄコンバータ２の出力信号から位相誤差を検出する方法を示したが、ＦＩＲフィルタ３あるいはビタビ復号器４の判定結果から位相誤差をもとめる方式も用いられている。
【０００４】
このようなリードチャネルではＡ／Ｄコンバータ２からＶＣＯ８の制御電圧までに多段のディジタル回路が存在し、回路遅延が大きいため、ループフィルタのゲインを大きくすることができない。そのため、キャプチャレンジが狭く、初期位相の引き込みに時間が多くかかってしまう課題があった。
【０００５】
とくに書換型の光ディスクでは（例えばＤＶＤ−ＲＡＭなどの書換可能な光ディスク）ランダムアクセス性能を重視し、内周から外周へ連続的に記録、追記する必要なく、所定の記録領域に記録可能な規格となっている。媒体上には記録領域と未記録領域が存在するため、規格上、ＰＬＬの位相引き込み用に単一周波数のプリアンブルパターン（ＶＦＯ）が設けてある。ＰＬＬは、ＶＦＯ領域ではゲインを大きくし、データ領域ではゲインを小さくし、初期のＰＬＬの位相引き込みができるだけ早く実現できるようにゲインを切り換えている。さらには単一周波数のプリアンブルパターンを利用して、位相誤差検出方法を通常の記録領域と異なる位相比較回路方式を用いることも知られている。
【０００６】
特開平８−３１５５１７号公報（特許文献１）では、ゼロ位相スタート回路とＰＲ等化に従った期待値データ系列を出力する信号パターン出力手段を有し、プリアンブル領域での再生信号と期待される信号パターンとの位相比較を行い、いちはやく初期位相引込みを実現している。また、特許第３４８５８２２号公報（特許文献２）では、再生信号のゼロクロス点を検出し、検出位置からＶＦＯ領域の特定パターンでさだまる周期のカウンタを動作させ、カウント値から予測して位相誤差情報を求め、短いＶＦＯ領域で初期位相引込みを実現している。さらにはＶＦＯ領域が繰返し記録のために劣化していたり、直前の記録領域が未記録であると、再生信号のＤＣ成分が大きく変動する。ＤＣ変動が再生信号に発生した場合であっても正しく位相誤差が検出できるよう低域成分抑制回路でＤＣ成分の除去を行っている。図２は特許第３４８５８２２号公報（特許文献２）で開示されているＶＦＯ領域でのアクイジション用位相比較器の動作を示した図である。図２（ａ）はＶＦＯパターン領域の信号波形でチャネルクロック（Ｔを周期とする）の８周期の繰返しパターンである。図２（ｂ）のアクイジション動作開始位置を示す信号の変化点から、周期カウンタを動作させる。周期カウンタは図２（ｃ）のようなカウンタ値を出力する。アクイジション用位相比較器には図２（ｄ）のようなデータが入力されている。周期カウンタのカウント値から特定のデータを位相誤差として図２（ｅ）のように出力する。具体的には、周期カウンタのカウンタ値が３の時、位相比較器入力をそのまま位相誤差とし、カウンタ値が７の時、位相比較器入力の符号を反転して位相誤差とする。再生信号の周波数に比べてＰＬＬのＶＣＯの発振周波数が高い場合には、図３のように負の位相誤差信号が出力される。位相誤差信号はＬＰＦを通り、ＶＣＯの制御電圧となり、発振周波数を下げるように制御される。同様にＶＣＯの発振周波数が低い場合には図４のように正の位相誤差信号が出力され、ＶＣＯの発振周波数を上げるように制御される。
【特許文献１】特開平８−３１５５１７号公報  （式（２））
【特許文献２】特許第３４８５８２２号公報  （図１、図３、図４、図５、図６）
【発明の開示】
【発明が解決しようとする課題】
【０００７】
書換可能なあるいは１回記録可能なＢｌｕ−Ｒａｙディスク、いわゆるＢＤ−ＲＥ、ＢＤ−Ｒディスクは図２のようなフォーマットで構成されている。６４Ｋバイトのユーザデータ単位で記録が行われる。図５のように、記録の最小単位はレコーディングユニットブロック（以降ＲＵＢ）と呼ばれ、６４Ｋバイト分のユーザデータと所定長のＲＵＮ−ＩＮと所定長ＲＵＮ−ＯＵＴで構成されている。ＲＵＮ−ＩＮにはプリアンブル領域があり、特定パターンが繰返し記録される。またＲＵＮ−ＯＵＴにはポストアンブル領域があり、同じ特定パターンが繰返し記録される。特定パターンは３Ｔ／３Ｔ／２Ｔ／２Ｔ／５Ｔ／５Ｔの計２０チャネルクロック長のパターンであり、極性によって図６のような２通りの記録符号となる。ＢＤ−ＲＥ、ＢＤ−Ｒは、ディスク上の任意の場所に記録可能な規格となっており、記録済のＲＵＢと未記録のＲＵＢが交互に存在することもありうる。記録済ＲＵＢからユーザデータを読み出す場合、かならずＲＵＢの先頭でビット同期、ＰＬＬの引込み動作をする必要がある。言い換えると上述の特定パターンが記録されているプリアンブル領域でＰＬＬの引込みを開始しなければならない。ユーザ領域で用いる位相比較器では、ＰＬＬの引込み範囲が狭く、所定長のＲＵＮ−ＩＮ領域だけでは、ＰＬＬの引込みが完了できない課題があった。また特定パターンは単一周波数ではないため、特許文献２で示されているアクイジション用位相比較器を用いることはできないという課題があった。本発明のディジタル情報記録再生装置はプリアンブルパターンに含まれる特定のパターンのエッジを検出するレベル通過検出手段と周期カウンタと単一周波数でない特定パターンが記録されているプリアンブル領域でのアクイジション用位相比較器を備え、ＲＵＢ先頭でのＰＬＬの引き込み時間、引込み動作の安定性の改善を図るものである。
【課題を解決するための手段】
【０００８】
本発明のディジタル情報記録再生装置は、所定のフォーマットで記録された記録媒体からユーザデータを再生する装置であって、再生信号を再生クロックのタイミングで量子化データに変換するＡ／Ｄ変換手段と、前記Ａ／Ｄ変換手段から出力された量子化データに含まれる直流成分を除去する低域抑圧回路と、前記低域抑圧回路の出力信号がゼロレベルを通過するタイミングを検出し、ゼロクロスタイミングフラグと通過方向情報を出力するゼロクロス検出手段と、前記ゼロクロス検出手段の通過タイミングに合わせて動作を開始し所定の周期でカウントしカウント値を出力する周期カウンタと、前記ゼロクロス検出手段から出力された通過方向情報と前記周期カウンタのカウント値から、前記量子化データがゼロクロスするタイミングを予測し、前記低域抑圧回路の出力信号から初期位相誤差を出力するアクイジション用位相誤差検出器と、前記低域抑圧回路の出力信号から位相誤差を出力するトラッキング用位相誤差検出器と、前記アクイジション用位相誤差検出器から出力された初期位相誤差信号と前記トラッキング用位相誤差検出器から出力された位相誤差信号を切り替えて位相誤差を出力するセレクタ手段と、前記セレクタ手段の位相誤差を用いて前記再生クロックを生成する再生クロック抽出手段を備え、前記記録単位の先頭領域では前記アクイジション用位相誤差検出器から出力された初期位相誤差信号を用い、特定パターン以外の領域では前記トラッキング用位相誤差検出器から出力された位相誤差信号を用いて前記再生クロックの位相を制御する構成となっている。
【０００９】
また、本発明のディジタル情報記録再生装置のゼロクロス検出手段は、プリアンブル領域に含まれる特定パターンの立ち上がりまたは立ちさがりエッジのゼロクロス点を検出し、ゼロクロスタイミングフラグを出力する。検出されたゼロクロス点から所定周期の周期カウンタを動作させ、特定パターンから予測される次のゼロクロス点を予測し、予測されたゼロクロス点からアクイジション用の位相誤差を出力する構成となっている。
【００１０】
また本発明のディジタルＰＬＬ回路は、記録媒体から得られた再生信号を再生クロックのタイミングで量子化データに変換するＡ／Ｄ変換手段と、前記Ａ／Ｄ変換手段から出力された量子化データに含まれる直流成分を除去する低域抑圧回路と、前記低域抑圧回路の出力信号がゼロレベルを通過するタイミングを検出し、ゼロクロスタイミングフラグと通過方向情報を出力するゼロクロス検出手段と、前記ゼロクロス検出手段の通過タイミングに合わせて動作を開始し所定の周期でカウントしカウント値を出力する周期カウンタと、前記ゼロクロス検出手段から出力された通過方向情報と前記周期カウンタのカウント値から、前記量子化データがゼロクロスするタイミングを予測し、前記低域抑圧回路の出力信号から初期位相誤差を出力するアクイジション用位相誤差検出器と、前記低域抑圧回路の出力信号から位相誤差を出力するトラッキング用位相誤差検出器と、前記アクイジション用位相誤差検出器から出力された初期位相誤差信号と前記トラッキング用位相誤差検出器から出力された位相誤差信号を切り替えて位相誤差を出力するセレクタ手段と、前記セレクタ手段の位相誤差を用いて前記再生クロックを生成する再生クロック抽出手段を備え、前記記録単位の先頭領域では前記アクイジション用位相誤差検出器から出力された初期位相誤差信号を用い、特定パターン以外の領域では前記トラッキング用位相誤差検出器から出力された位相誤差信号を用いて前記再生クロックの位相を制御する構成となっている。
【００１１】
また、本発明のディジタルＰＬＬ回路のゼロクロス検出手段は、プリアンブル領域に含まれる特定パターンの立ち上がりまたは立ちさがりエッジのゼロクロス点を検出し、ゼロクロスタイミングフラグを出力する。検出されたゼロクロス点から所定周期の周期カウンタを動作させ、特定パターンから予測される次のゼロクロス点を予測し、予測されたゼロクロス点からアクイジション用位相誤差を出力する構成となっている。
【発明の効果】
【００１２】
本発明の効果は、プリアンブル領域に特定パターンの繰り返し記録された場合であっても、引込み範囲の広いディジタルＰＬＬを構成し、引込み時間の短縮と、安定してＰＬＬ引込み動作を行うことができる。またプリアンブル領域のフォーマットが異なる記録媒体であっても、アクイジション用位相比較器を切り替えることで、ＰＬＬ動作が可能となり、回路規模の増大することなく、安価で多くのメディアに対応可能な装置を実現できる。
【発明を実施するための最良の形態】
【００１３】
（実施の形態１）
本発明のディジタル情報再生装置およびディジタルＰＬＬ回路の実施の形態１について述べる。図７に構成図をしめす。
【００１４】
光ディスクから光学ヘッドによって再生信号が得られる。再生信号はプリアンプを通り、ＲＦ信号として波形等化回路９に入力される。ＲＦ信号は波形等化回路９によりノイズ成分の除去と所定の周波数帯域の強調によって波形整形がなされる。波形等化出力信号はＡ／Ｄコンバータ１０において再生クロックで量子化される。量子化された再生信号は低域成分抑圧回路１１によって信号中に含まれる低周波数成分が除去される。低周波数成分が除去されたＲＦ信号は、ＰＲＭＬにより原ディジタル情報を再生する処理と、再生信号に含まれる再生クロックを抽出しビット同期をとる処理にそれぞれ入力される。まず、ＰＲＭＬ信号処理では、ＦＩＲフィルタ１２に入力される。ＦＩＲフィルタ１２により所定のパーシャルレスポンス等化となるように適応等化される。所定のＰＲ等化された再生信号からビタビ復号器１３は、最も確からしい２値化データを出力する。２値化データは変復調回路で復調後、誤り訂正処理を行い、ユーザデータが得られる。一方ビット同期処理では、低域成分抑圧回路１１から出力された再生信号から位相誤差を検出する。ＲＵＢの先頭の所定長のプリアンブル領域で、ＰＬＬの引込みを行う。まずゼロクロス検出手段１４がプリアンブル中の所定のパターンを検出する。ＢＤ−Ｒ／ＲＥディスクのプリアンブルパターンは３Ｔ／３Ｔ／２Ｔ／２Ｔ／５Ｔ／５Ｔの繰り返しであるので、最大のマークとスペースの組合せである５Ｔ／５Ｔを検出する。これは最大のマークとスペースのパターンの５Ｔ／５Ｔの再生信号振幅が最も大きく検出が容易であるためである。ゼロクロス検出手段１４は検出結果としてゼロクロスタイミングフラグを周期カウンタ１５へ出力する。周期カウンタ１５はゼロクロスタイミングフラグに合わせて２０周期のカウンタを動作させ、カウント値をアクイジション用位相比較器１６へ出力する。アクイジション用位相比較器１６には、低域成分抑圧回路１１から出力された再生信号が入力されている。周期カウンタ１５から入力されたカウント値からつぎのゼロクロス点が得られるタイミングを予測し、入力された再生信号からアクイジション用位相誤差信号を求め出力する。アクイジション用位相誤差信号は再生クロック抽出手段１８に入力される。再生クロック抽出手段１８はセレクタ手段１９とＬＰＦ２０とＤ／Ａコンバータ２１とＶＣＯ２２で構成されている。プリアンブル領域でＰＬＬ引込み動作をする際には、セレクタ手段１９でアクイジション用位相誤差信号が選択され、ＬＰＦ２０に入力される。ＬＰＦ処理された後、Ｄ／Ａコンバータ２１に入力される。Ｄ／Ａコンバータ出力は、ＶＣＯ２２の制御電圧となり、ＶＣＯ２２の発振周波数を制御する。ＶＣＯ２２から出力された再生クロックは、Ａ／Ｄコンバータ１０に入力される。プリアンブル領域でＰＬＬの引込み動作が完了すると、トラッキング用位相比較器１７から出力されたトラッキング用位相誤差信号が、セレクタ手段１９で選択されてＬＰＦ２０に入力される。トラッキング位相比較器１７は、低域成分抑圧回路１１から出力された再生信号のゼロクロス点を検出し、トラッキング用位相誤差信号を求め出力する。以上のようにＡ／Ｄコンバータ１０により量子化された再生信号からをもとに、ＲＵＢ先頭のプリアンブル領域では、アクイジション用位相比較器１６の位相誤差信号を用い、ユーザデータ領域ではトラッキング用位相比較器１７の位相誤差信号を切り換えて、ＶＣＯ２２の再生クロックの発振周波数を制御することでディジタルＰＬＬが実現する。
【００１５】
つぎに本発明のディジタル情報記録再生装置のＰＬＬのアクイジション動作について詳細に述べる。図８にアクイジション動作のタイミングチャートを示す。図８（ａ）はＢＤ−Ｒ／ＲＥディスクのフォーマットのレイアウトを示している。ＲＵＢは所定長のＲＵＮ−ＩＮと、ユーザデータが記録されたＰｈｙｓｉｃａｌ  Ｃｌｕｓｔｅｒと、所定長のＲＵＮ−ＯＵＴで構成されており、ＲＵＮ−ＩＮにはプリアンブル領域が含まれている。プリアンブル領域には特定パターンの繰り返しが記録されている。図８（ｂ）に特定パターン（３Ｔ／３Ｔ／２Ｔ／２Ｔ／５Ｔ／５Ｔ）を示す。このような特定パターンを再生すると図８（ｃ）の再生信号が得られる。再生信号を再生クロックでサンプリングし、低域成分抑圧回路１１の出力をＳ０〜Ｓ２５と示す。記録符号の極性によっては図８（ｄ）の再生信号にもなりうる。アクイジション動作開始ゲート信号が有効になると（図８（ｅ）ではＨｉｇｈレベルの状態）、ゼロクロス検出手段１４は、図８（ｃ）のような５Ｔ／５Ｔの立ち下がりエッジのゼロクロス点、または図８（ｄ）のような５Ｔ／５Ｔの立ち上がりエッジのゼロクロス点を検出し、図８（ｆ）のようなゼロクロスタイミングフラグを出力する。２０チャネルクロック周期の周期カウンタ１５は、ゼロクロスタイミングフラグがＨｉｇｈレベルになると、２０周期でカウントを開始し、図８（ｇ）のようなカウント値をアクイジション用位相比較器１６に出力する。アクイジション用位相比較器１６には低域成分抑圧回路１１から量子化された再生信号Ｓ０〜Ｓ２５が入力されている。周期カウンタ１５のカウント値が０、５、８、１１、１３、１５のとき、ゼロクロス点が検出されると予測できる。このとき入力された再生信号からを位相誤差を求める。ゼロクロス検出手段１４から出力された通過方向情報から、図８（ｃ）のような再生信号の場合には、アクイジション用位相比較器１６は図８（ｉ）のように、立ち下がりエッジのゼロクロス点が予測されるカウンタ値が０、８、１３のときに入力信号Ｓ０、Ｓ８、Ｓ１３の符号を反転し、位相誤差として出力する。立ち上がりエッジのゼロクロス点が予測されるカウンタ値が５、１１、１５のときには入力信号Ｓ５、Ｓ１１、Ｓ１５を位相誤差として出力する。同様に図８（ｄ）のような再生信号の場合には、アクイジション用位相比較器１６は図８（ｊ）のように、立ち上がりエッジのゼロクロス点が予測されるカウンタ値が０，８，１３のときには入力信号Ｓ０、Ｓ８、Ｓ１３を位相誤差として出力する。立ち下がりエッジのゼロクロス点が予測されるカウンタ値が５、１１、１５のときには入力信号Ｓ５、Ｓ１１、Ｓ１５の符号を反転し位相誤差として出力する。上述のような位相比較方法を用いることで、アクイジション位相比較器１６は２Ｔ／２Ｔの立ち下がりのゼロクロス点に注目すると、図９（ａ）のような誤差曲線を持つ。一方トラッキング用位相比較器１７は図９（ｂ）のような比較範囲±１８０度の誤差曲線をもつ。したがってアクイジション位相比較器１６は特定パターンからゼロクロス点を予測することで位相比較範囲を広げることができる。なお本発明のディジタル情報再生装置およびディジタルＰＬＬ回路の実施の形態１では、Ｂ��−Ｒ／ＲＥディスクのプリアンブルパターンは３Ｔ／３Ｔ／２Ｔ／２Ｔ／５Ｔ／５Ｔの繰り返しであるので、ゼロクロス検出手段１４は最大のマークとスペースの組合せである５Ｔ／５Ｔを検出としたが、（５±１）Ｔ／５Ｔあるいは５Ｔ／（５±１）Ｔを検出した場合でもゼロクロスタイミングフラグを出力することで、信号品質が低下した場合にも、プリアンブル領域でＰＬＬの引込み動作が確実に実行できる。
【００１６】
（実施の形態２）
本発明のディジタル情報記録再生装置およびディジタルＰＬＬ回路の実施の形態２について述べる。図１０に構成図をしめす。ＢＤ−Ｒ／ＲＥ用のプリアンブル領域の特定パターンでのＰＬＬ引き込み用のゼロクロス検出手段１４と周期カウンタ１５とアクイジション用位相比較器１６からなる、第１のアクイジション用位相比較手段２３に加え、他の記録媒体であるＤＶＤ−ＲＡＭやＨＤ−ＤＶＤ用の第２のアクイジション用位相比較手段２４を備える。ＤＶＤ−ＲＡＭやＨＤ−ＤＶＤはセクタ先頭に８チャネルクロック周期の繰り返しパターンが記録されているＶＦＯ領域を備える。第２のアクイジション用位相比較手段は、ＶＦＯ領域でのゼロクロス点を検出する第２のゼロクロス検出手段２５と、８チャネルクロック周期をカウントする第２の周期カウンタ２６と、第２の周期カウンタ２６から入力されたカウント値からゼロクロス点が検出されるタイミングを予測し、入力された再生信号からアクイジション用位相誤差信号を求め出力する第２のアクイジション用位相比較器２７から構成される。ＢＤ−Ｒ／ＲＥを再生する場合には、第１のアクイジション用位相比較手段２３の位相誤差信号を用い、ＤＶＤ−ＲＡＭやＨＤ−ＤＶＤを再生する場合には、第２のアクイジション用位相比較手段２４の位相誤差信号を用いるよう切り替えることで、記録ファーマットが異なる記録媒体、プリアンブル領域の記録パターンが異なる場合であっても、引込み時間の短い安定なディジタルＰＬＬを実現できる。
【産業上の利用可能性】
【００１７】
本発明にかかるディジタル情報記録再生装置およびディジタルフェーズロックドループ回路は特定パターン用の位相比較器を有し、光ディスク装置のみならず、ＶＴＲ等の磁気記録媒体の再生装置や磁気カードの読み取り装置としても有用である。
【図面の簡単な説明】
【００１８】
【図１】ＰＲＭＬ方式を用いた従来のディジタル情報記録再生装置のブロック図
【図２】従来のアクイジション用位相比較器のタイムチャート
【図３】従来のアクイジション用位相比較器のＶＣＯの発振周波数が高い場合の動作の様子を示す図
【図４】従来のアクイジション用位相比較器のＶＣＯの発振周波数が低い場合の動作の様子を示す図
【図５】ＢＤ−Ｒ／ＲＥのＲＵＢのフォーマット説明図
【図６】ＢＤ−Ｒ／ＲＥのプリアンブル領域に記録される特定パターンの説明図
【図７】本発明のディジタル情報記録再生装置およびディジタルＰＬＬ回路の実施の形態１の構成図
【図８】本発明のＢＤ−Ｒ／ＲＥ用アクイジション用位相比較器のタイムチャート
【図９】本発明のＢＤ−Ｒ／ＲＥ用アクイジション用位相比較器の位相誤差検出特性を示す図
【図１０】本発明のディジタル情報記録再生装置およびディジタルＰＬＬ回路の実施の形態２の構成図
【符号の説明】
【００１９】
１，９    波形等化回路
２，１０    Ａ／Ｄコンバータ
３，１２    適応等化フィルタ
４，１３    ビタビ復号器
５    位相比較器
６，２０    ＬＰＦ
７，２１    Ｄ／Ａコンバータ（ＤＡＣ）
８，２２    電圧制御型発振器（ＶＣＯ）
１１    低域成分抑圧回路
１４    ゼロクロス検出手段
１５    周期カウンタ
１６    アクイジション用位相比較器
１７    トラッキング用位相比較器
１８    再生クロック抽出手段
１９    セレクタ手段
２３    第１のアクイジション用位相比較手段
２４    第２のアクイジション用位相比較手段
２５    第２のゼロクロス検出手段
２６    第２の周期カウンタ
２７    第２のアクイジション用位相比較器
【図１】
2007109349.tif 000003
【図２】
2007109349.tif 000004
【図３】
2007109349.tif 000005
【図４】
2007109349.tif 000006
【図５】
2007109349.tif 000007
【図６】
2007109349.tif 000008
【図７】
2007109349.tif 000009
【図８】
2007109349.tif 000010
【図９】
2007109349.tif 000011
【図１０】
2007109349.tif 000012